(57)【要約】【課題】データラインが配置される表示ドット間の間隙が、表示において縦縞として見えるのを抑制する。【解決手段】４色の表示ドットを２行にわたって２つずつ配置して１画素を形成する。表示ドットは隣接行間において１／２表示ドット分だけ行方向にずらす。これによって、データラインが配置される表示ドット間の間隙を各行でずらし、縦縞が発生しにくくなる。【選択図】図１
2007164101.tif 000002
【特許請求の範囲】
【請求項１】
４色の表示ドットによって１画素が構成され、この画素をマトリクス状に配置して形成された表示装置において、
１画素を構成する４つの表示ドットを２行に分けて配置するとともに、その２行に分けられた表示ドットについて１／２表示ドット分だけ行方向にずらして配置するとともに、
列方向の各表示ドット間に２本のデータラインを配置することを特徴とする表示装置。
【請求項２】
請求項１に記載の表示装置において、
１つの表示ドットの行において１つの表示ドット間の間隙に位置した２本のデータラインは、隣接行の表示ドットとの行間で反対方向に伸びその隣接行における表示ドット間の間隙においてはそれぞれ他のデータラインと一緒になり、さらに隣の表示ドットの行においてまた１つの表示ドット間の間隙に位置することを特徴とする表示装置。
【請求項３】
請求項１に記載の表示装置において、
１つの表示ドットの行において１つの表示ドット間の間隙に位置した２本のデータラインは、隣接行の表示ドットとの行間で同一方向に伸びその隣接行における表示ドット間の間隙においても同一のデータラインと一緒になることを特徴とする表示装置。
【請求項４】
請求項１〜３のいずれか１つに記載の表示装置において、
前記４色は、青系の色相、赤系の色相、青から黄までの色相の中で選択された２種の色相の４色であることを特徴とする表示装置。
【発明の詳細な説明】
【技術分野】
【０００１】
本発明は、互いに異なる表示色の複数のドットによって１画素を構成し、この画素をマトリクス状に配置する表示パネル、特にデータラインの配置に関する。
【背景技術】
【０００２】
従来より、各種の表示装置が知られており、液晶表示装置は薄型軽量の表示装置として広く普及している。特に、各画素（表示ドット）毎にスイッチングトランジスタを設け、表示を表示ドット毎に制御するアクティブマトリクス型の装置では、高精細な表示が可能である。また、このような表示装置において、フルカラー表示を行う場合には、各表示ドットにＲ（赤）、Ｇ（緑）、Ｂ（青）のいずれかのカラーフィルタを設け、３つの表示ドットで１画素を形成する。
【０００３】
一方、パーソナルコンピュータなどにおいて、表示された画像について印刷すると、色合いが異なったものになる。これは、表示装置において表示可能な色の領域と、プリンタにおいて印刷可能な色の表示領域が異なっているからである。
【０００４】
そこで、表示装置において、ＲＧＢに加えＣ（シアン）の表示ドットを追加することが提案されている（特許文献１参照）。これによって、表示装置における表示画像と印刷物の画像の色合いを近づけることができる。
【０００５】
【特許文献１】特開２００１−３０６０２３号公報
【発明の開示】
【発明が解決しようとする課題】
【０００６】
ここで、上述のように、４色の表示とした場合、４つの表示ドットを横方向に並べると、１画素が横長になってしまう。そこで、４つの表示ドットを田の字配置した方が表示として好ましいと考えられる。ところが、表示ドットを田の字配列にすると、表示ドット間に少なくとも２本（２色分）のデータラインを配置する必要が生じる。
【０００７】
このように、２本のデータラインを表示ドット間に配置すると、その間隔が比較的広くなり、マクロな視野で見た場合に縦縞模様が発生しやすいという問題がある。
【課題を解決するための手段】
【０００８】
本発明は、４色の表示ドットによって１画素が構成され、この画素をマトリクス状に配置して形成された表示装置において、１画素を構成する４つの表示ドットを２行に分けて配置するとともに、その２行に分けられた表示ドットについて１／２表示ドット分だけ行方向にずらして配置するとともに、列方向の各表示ドット間に２本のデータラインを配置することを特徴とする。
【０００９】
また、１つの表示ドットの行において１つの表示ドット間の間隙に位置した２本のデータラインは、隣接行の表示ドットとの行間で反対方向に伸びその隣接行における表示ドット間の間隙においてはそれぞれ他のデータラインと一緒になり、さらに隣の表示ドットの行においてまた１つの表示ドット間の間隙に位置することが好適である。
【００１０】
また、１つの表示ドットの行において１つの表示ドット間の間隙に位置した２本のデータラインは、隣接行の表示ドットとの行間で同一方向に伸びその隣接行における表示ドット間の間隙においても同一のデータラインと一緒になることが好適である。
また、前記４色は、青系の色相、赤系の色相、青から黄までの色相の中で選択された２種の色相の４色であることが好適である。
【発明の効果】
【００１１】
このように、本発明によれば、２本のデータラインが配置される表示ドット間の間隙が各行においてずれており、縦縞として見えることを防止することができる。
【発明を実施するための最良の形態】
【００１２】
図１は、実施形態の概略構成を示す図である。この例では、１つの行（図における一番上の行）において、Ｒ（赤）と、Ｇ（緑）の表示ドットが交互に配置され、その隣接行（図における上から２番目の行）では、Ｂ（青）と、Ｃ（シアン）の表示ドットが交互に配置されている。また、図における上から３行目は１行目と同じ配列であり、同様にして奇数行は１行目と、偶数行は２行目と同じというようにして表示ドットが全体に配列されている。
【００１３】
そして、奇数行と偶数行とでは、表示ドットが行方向に１／２表示ドット分ずれている。すなわち、奇数行のＲのドットとＧのドットとの列方向間隙は、偶数行のＢまたはＣのドットに突き当たり、偶数行のＢのドットとＣのドットとの列方向間隙は、奇数行のＧまたはＲのドットに突き当たるように配置されている。
【００１４】
また、図の例において、左がＲ、右がＧの表示ドット間の列方向間隙には、Ｂ，Ｇの２本のデータラインＤＬが配置され、この２本のデータラインＤＬは、次の行におけるＢの表示ドットに突き当たり、ここで左右に分かれ、Ｂの表示ドットの周りを回って、その次の行では、またＲ，Ｇの２つの表示ドット間を通る。左がＧ、右がＲの表示ドット間の列方向間隙には、Ｃ，Ｒの２本のデータラインＤＬが配置され、この２本のデータラインＤＬは、次の行におけるＣの表示ドットに突き当たり、ここで左右に分かれ、Ｃの表示ドットの周りを回って、その次の行ではまたＧ，Ｒの２つの表示ドット間を通る。このように、２本のデータラインＤＬが１行ごとに離れたりくっついたりして、配置される。
【００１５】
そして、各データラインは１行おきに表示ドットに接続されることで、全ての表示ドットに対応するデータラインＤＬを接続することができる。また、各色の表示ドットの配置は、必ずしも図示の例でなくてもよく、隣接行との対応で、隣接ドットの位置を反対にしてもよい。例えば、図において、Ｒ，Ｇの表示ドットの下にＢの表示ドットが位置しているが、ＢとＣの位置を反対にすることもできる。この場合には、ＢとＣのデータラインＤＬの位置も反対にする。
【００１６】
このような配置により、２本のデータラインＤＬが配置される表示ドット間の間隙が各行において、１／２ドットずつずれ、縦縞として見えることを防止することができる。
【００１７】
なお、各画素には、図２に示すような画素回路が設けられる。すなわち、ゲートがゲートラインＧＬに接続されたスイッチングトランジスタ（この例では、ｎチャネルＴＦＴ（薄膜トランジスタ））ＳＷの一端（ドレインまたはソース）が接続され、このスイッチングトランジスタＳＷの他端（ソースまたはドレイン）には、保持容量ＣSの一端が接続され、保持容量ＣSの他端は、所定の電圧に保持される容量ラインＳＣに接続されている。
【００１８】
また、スイッチングトランジスタＳＷの他端には、液晶素子ＬＣの一端が接続されている。この液晶素子の一端は表示ドット毎に設けられている画素電極であり、全画素電極に対向して所定の電圧に保持される対向電極ＣＯＭが設けられ、その間に液晶が封入されている。
【００１９】
従って、１つの行の映像信号（データ電圧）がデータラインに供給されているタイミングで、その行のゲートラインＧＬをＨレベルに設定することで、接続されているスイッチングトランジスタＳＷがオンして各データ電圧がその行の表示ドットの保持容量ＣSに供給され、液晶素子ＬＣにおいてデータ電圧に応じた表示が行われる。これを各行について順次繰り返すことで全画素における表示が行われる。
【００２０】
図３には、他の実施形態の概略構成を示してある。この例では、図１の例とは異なり、表示ドット間に配置されるデータライン２本は、常に一緒に列方向に伸びる。例えば、Ｂ，Ｇのデータラインは、１行のＲ，Ｇの表示ドット間に配置され、Ｇの表示ドットの下方で、右方向に１／２表示ドット分だけずれ、次のＢ，Ｃの表示ドット間を列方向に伸び、次にＣの表示ドットの下方で左方向に１／２表示ドット分だけずれ、次の行では、Ｒ，Ｇの表示ドット間に戻る。この配置では、Ｒ，Ｇの表示ドットの行では各表示ドットは左側に位置するデータラインＤＬに接続され、Ｂ，Ｃの表示ドットの行では右側に位置するデータラインＤＬに接続される。すなわち、２本のデータラインが表示ドット間にいつも位置し、各行で交互に表示ドットに接続されるため、各行の表示ドットが左または右のいずれか一方のデータラインＤＬに接続されることで、表示ドットに隣接して位置するデータラインＤＬに接続することができる。
【００２１】
なお、上述の例は単なる一例であり、ＲＧＢＣのいずれをどの位置に配置するかは適宜変更できる。また、右側、左側も単に相対的な問題であり、反対にすることも容易である。
【００２２】
また、各表示ドットの表示色はカラーフィルタによって決定され、従ってカラーフィルタの着色領域は４色の着色領域で１画素を構成する。
【００２３】
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００２４】
具体的な色相の範囲は、例えば次の通りである。
・青系の色相の着色領域は、青紫から青緑であり、より好ましくは藍から青である、
・赤系の色相の着色領域は、橙から赤である、
・青から黄までの色相で選択される一方の着色領域は、青から緑であり、より好ましくは青緑から緑である、
・青から黄までの色相で選択される他方の着色領域は、緑から橙であり、より好ましくは緑から黄である。もしくは緑から黄緑である。
【００２５】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００２６】
これにより、従来のＲＧＢの着色領域よりも広範囲の色再現性を実現することができる。
【００２７】
また、広範囲の色再現性を色相で述べたが、以下に、着色領域を透過する波長で表現する。
・青系の着色領域は、波長のピークが４１５−５００ｎｍにある着色領域、好ましくは、４３５−４８５ｎｍにある着色領域である、
・赤系の着色領域は、波長のピークが６００ｎｍ以上にある着色領域で、好ましくは、６０５ｎｍ以上にある着色領域である、
・青から黄までの色相で選択される一方の着色領域は、波長のピークが４８５−５３５ｎｍにある着色領域で、好ましくは、４９５−５２０ｎｍにある着色領域である、
・青から黄までの色相で選択される他方の着色領域は、波長のピークが５００−５９０ｎｍにある着色領域、好ましくは５１０−５８５ｎｍにある着色領域、もしくは５３０−５６５ｎｍにある着色領域である。
【００２８】
次に、ｘ、ｙ色度図で表現する。
・青系の着色領域は、ｘ≦０．１５１、ｙ≦０．０５６にある着色領域であり、好ましくは、０．１３４≦ｘ≦０．１５１、０．０３４≦ｙ≦０．０５６にある着色領域である、・赤系の着色領域は、０．６４３≦ｘ、ｙ≦０．３３３にある着色領域であり、好ましくは、０．６４３≦ｘ≦０．６９０、０．２９９≦ｙ≦０．３３３にある着色領域である、・青から黄までの色相で選択される一方の着色領域は、ｘ≦０．１６４、０．４５３≦ｙにある着色領域であり、好ましくは、０．０９８≦ｘ≦０．１６４、０．４５３≦ｙ≦０．７５９にある着色領域である、
・青から黄までの色相で選択される他方の着色領域は、０．２５７≦ｘ、０．６０６≦ｙにある着色領域であり、好ましくは、０．２５７≦ｘ≦０．３５７、０．６０６≦ｙ≦０
．６７０にある着色領域である。
【００２９】
これら４色の着色領域は、サブ画素に透過領域と反射領域を備えた場合、透過領域及び反射領域も上述した範囲で適用することができるものである。
【００３０】
バックライトとして、ＲＧＢの光源としてＬＥＤ、蛍光管、有機ＥＬを用いても良い。または白色光源を用いても良い。なお、白色光源は青の発光体とＹＡＧ蛍光体により生成される白色光源でもよい。
【００３１】
ＲＧＢ光源としては、以下のものが好ましい。
・Ｂは波長のピークが４３５ｎｍ−４８５ｎｍにあるもの
・Ｇは波長のピークが５２０ｎｍ−５４５ｎｍにあるもの
・Ｒは波長のピークが６１０ｎｍ−６５０ｎｍにあるもの
【００３２】
そして、ＲＧＢ光源の波長によって、上記ＣＦを適切に選定すればより広範囲の色再現性を得ることができる。
【００３３】
また、波長が例えば、４５０ｎｍと５６５ｎｍにピークがくるような、複数のピークを持つ光源を用いていも良い。
【００３４】
上記４色の着色領域の構成の例として、以下のものがあげられる。
・色相が、赤、青、緑、シアン（青緑）の着色領域
・色相が、赤、青、緑、黄の着色領域
・色相が、赤、青、深緑、黄の着色領域
・色相が、赤、青、エメラルド、黄の着色領域
・色相が、赤、青、深緑、黄緑の着色領域
・色相が、赤、青緑、深緑、黄緑の着色領域
【図面の簡単な説明】
【００３５】
【図１】実施形態の概略構成を示す図である。
【図２】画素回路の構成を示す図である。
【図３】他の実施形態の概略構成を示す図である。
【符号の説明】
【００３６】
ＣＯＭ  対向電極、ＣS  保持容量、ＤＬ  データライン、ＧＬ  ゲートライン、ＳＣ  容量ライン、ＳＷ  スイッチングトランジスタ。
【図１】
2007164101.tif 000003
【図２】
2007164101.tif 000004
【図３】
2007164101.tif 000005